(57)【特許請求の範囲】
【請求項１】
画面と、
前記画面に対向する物体の物体像を取り込むセンサ部と、
前記物体像に基づいて、前記画面の回転方向を決定する制御部と、
前記制御部により決定された前記回転方向に前記画面を回転させる回転部とを含み、
前記制御部は、前記物体像に映し出された使用者の頭の天辺の垂直方向の位置に基づいて、前記画面を上方または下方に回転させる回転方向を決定する
角度自動調節機能付きディスプレイ。
【請求項２】
画面と、
前記画面に対向する物体の物体像を取り込むセンサ部と、
前記物体像に基づいて、前記画面の回転方向を決定する制御部と、
前記制御部により決定された前記回転方向に前記画面を回転させる回転部とを含み、
前記制御部は、前記物体像に映し出された使用者の右肩の水平方向の位置と前記使用者の左肩の水平方向の位置とに基づいて、前記画面を左または右に回転させる回転方向を決定する
角度自動調節機能付きディスプレイ。
【請求項３】
請求項１または請求項２のいずれかにおいて、
前記回転は、使用開始時に即時に行われる
角度自動調節機能付きディスプレイ。
【請求項４】
請求項３において、
前記回転は、常時には行われない
角度自動調節機能付きディスプレイ。
【請求項５】
請求項３において、
前記センサ部は、前記画面が配置されている面と同一の面に配置されている
角度自動調節機能付きディスプレイ。
【請求項６】
請求項５において、
前記センサ部は、ＣＣＤカメラである
角度自動調節機能付きディスプレイ。
【請求項７】
請求項６において、
前記センサ部は、前記画面に同体に固定され、前記物体像を前記制御部に送信し、
前記制御部は、使用者が前記画面を見やすい位置からずれているとき、前記回転方向を前記回転部に送信し、
前記回転部は、前記回転方向を受信している間、前記画面を回転させる
角度自動調節機能付きディスプレイ。
【請求項８】
請求項７において、
前記制御部は、使用者の周囲の明るさに基づいて、前記画面の明るさ・コントラストを決定し、
前記画面は、前記明るさ・コントラストの決定を受けて、明るさ・コントラストが調節される
角度自動調節機能付きディスプレイ。
【発明の詳細な説明】
【０００１】
【発明の属する技術分野】
本発明は、角度自動調節機能付きディスプレイに関し、特に、使用者が画面を常により見易く作業することができる角度自動調節機能付きディスプレイに関する。
【０００２】
【従来の技術】
ディスプレイは、使用者が画面の角度を最初に固定したら、そのままであり、使用する度に画面の角度をほとんど変更しない。他の使用者が使用する場合でも画面の角度をほとんど変更しない。角度の合わない画面で作業を続ける使用者は、画面が見にくく、目が疲れ、肩が凝りやすい。
【０００３】
回転自在なディスプレイは、特開平７−２６１８７３に示されるように公知である。そのような屋外端末機は、メモリに個々のオペレータが見やすい角度がオペレータのコード番号に対応して予め登録され、作業時にオペレータが自己のコード番号を入力することにより、ＣＰＵはディスプレイをその角度に設定制御する。使用者は、長時間同じ体勢で画面を見続け作業することが不可能であり、画面と使用者の位置関係が少なからずずれる。このため、このような角度制御であっても、使用者は、画面が見にくくなり、目に負担がかかり、肩が凝る。
【０００４】
【発明が解決しようとする課題】
本発明の課題は、使用者が見やすい角度に画面を自動で調節する角度自動調節機能付きディスプレイを提供することにある。
【０００５】
【課題を解決するための手段】
その課題を解決するための手段が、下記のように表現される。その表現中に現れる技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈することを意味しない。
【０００６】
本発明による角度自動調節機能付きディスプレイは、画面（５）と、画面（５）に対向する物体の物体像を取り込むセンサ部（１）と、物体像に基づいて、画面（５）の回転方向を決定する制御部（２）と、決定された回転方向に画面（５）を回転させる回転部（３）とを含む。回転部（３）は、角度調節機能を有する。画面（５）は、画面（５）の正面に位置する使用者が最も見やすい角度に回転することが好ましい。使用者は、誰であってもかまわない。
【０００７】
回転は、使用開始時に即時に行われることが好ましい。回転は、常時には行われないことが好ましい。使用者は、短時間に肩が凝らない。このため、常時、回転動作を行う必要はなく、間欠的に行うことが好ましい。センサ部（１）は、画面（５）が配置されている面と同一の面に配置されていることが好ましい。センサ部（１）は、ＣＣＤカメラ（６）であることが、物体像位置を容易に、且つ、正確に確定できる点で好ましい。
【０００８】
センサ部（１）は、画面（５）に固定され、物体像を制御部（２）に送信し、制御部（２）は、使用者が画面（５）を見やすい位置からずれているとき、回転方向を回転部（３）に送信し、回転部（３）は、回転方向を受信している間、画面（５）を回転させる。このような制御によって、長時間の使用による画面（５）と使用者の位置関係のずれに対応することができる。制御部（２）から回転方向を受信していないとき、画面（５）は、その角度に固定される。
【０００９】
制御部（２）は、使用者の頭の天辺の位置（８）に基づいて、画面（５）の上下の角度を決定することが好ましい。制御部（２）は、画面（５）を最も見やすい位置にいる使用者の物体像（７）を記憶している。使用者の頭の天辺の位置（８）が、記憶している使用者の物体像（７）の頭の天辺の位置（８）よりずれている場合、制御部（２）は、画面（５）の角度をずれている方向に回転させる信号を発信する。制御部（２）は、使用者の両肩の位置（９）に基づいて、画面（５）の左右の角度を決定することが好ましい。使用者の両肩の位置（９）が、記憶している使用者の物体像（７）の両肩の位置（９）よりずれている場合、制御部（２）は、画面（５）の角度をずれている方向に回転させる信号を発信する。このような制御は、肩幅の差による誤差を解消する。
【００１０】
制御部（２）は、使用者の周囲の明るさに基づいて、画面（５）の明るさ・コントラストを決定し、画面（５）は、明るさ・コントラストの決定を受けて、明るさ・コントラストを調節する。画面（５）の角度の変化に伴って、使用者の周囲の明るさは変化する。この変化に応じて、使用者が常に画面（５）を見やすい状態に明るさ・コントラストを調節する。使用者が周囲の環境を気にせず、作業ができる。
【００１１】
【発明の実施の形態】
図に一致対応して、本発明による角度自動調節機能付きディスプレイの実施の形態は、図１に示されるように、画面５、センサ部１、制御部２、及び回転部３からなる。センサ部１は、画面５に同体に固定されている。センサ部１の出力は、制御部２に接続している。制御部２の出力は、回転部３に接続している。回転部３は、角度調節機能を持つ。センサ部１には、スイッチ４が付属している。スイッチ４は、センサ部１の機能を停止させることができる。センサ部１は、図２に示されるように、画面５が配置されている面と同じ面に配置されている。センサ部１は、図３に示されるように、ＣＣＤカメラ６からなる。ＣＣＤカメラ６の出力は、センサ部１の出力と一致している。
【００１２】
通常、使用者は、画面５を見て作業するとき、画面５に対向して位置する。スイッチ４が、オンであれば、ＣＣＤカメラ６は、図６に示されるように、使用者の画像１２を取り込む。取り込まれた使用者の画像１２は、感知信号として、制御部２に送信される。制御部２は、図５に示される標準的な使用者の画像７を記憶している。この標準的な使用者の画像７は、画面５を最も見やすい位置にいる使用者の像である。制御部２は、使用者の画像１２と標準的な使用者の画像７とを比較する。制御部２は、両者が概ね重なるまで、画面５を回転させる調節信号を回転部３に発信し続ける。
【００１３】
制御部２が比較するポイントは、図５に示されるように、ポイント８とポイント９の２位置である。ポイント８は、頭の天辺の位置であり、画面５の上下の角度を調節するためのポイントである。２つのポイント９は、両肩の位置であり、左右の角度を調節するためのポイントである。図６に示されるように、取り込んだ使用者の画像１２のポイント８の位置が、標準的な使用者の画像７のポイント８の位置よりも上にある場合、制御部２は、画面５の角度を上方に移動させる調節信号を回転部３に発信する。図７に示されるように、取り込んだ使用者の画像１２のポイント８の位置が、標準的な使用者の画像７のポイント８の位置よりも下にある場合、制御部２は、画面５の角度を下方に移動させる調節信号を発信する。
【００１４】
図８に示されるように、取り込んだ使用者の画像１２の右肩の位置と標準的な使用者の画像の右肩の位置との右側方向の偏差を偏差１１とし、取り込んだ使用者の画像１２の左肩の位置と標準的な使用者の画像の左肩の位置との右側方向の偏差を偏差１０とする。この場合、取り込んだ使用者の画像１２の右肩の位置が、標準的な使用者の画像７の右肩の位置より左側にあるとき、偏差１１は負数である。偏差１１と偏差１０との和が０になるまで左または右に回転させる調節信号を発信し続ける。即ち、偏差１１と偏差１０との和が正ならば、画面５を右に回転させる調節信号を回転部３に発信する。偏差１１と偏差１０との和が負ならば、画面５を左に回転させる調節信号を発信する。
【００１５】
このような制御を行うことにより、図８に示されるように、使用者の肩幅が標準的な使用者の画像７の肩幅より広い場合であっても、使用者が見やすい画面５の角度を得ることができる。図９に示されるように、使用者の肩幅が標準的な使用者の画像７の肩幅より狭い場合であっても同様に、使用者が見やすい画面５の角度を得ることができる。
【００１６】
回転部３は、調節信号を受信している間中、その信号に含まれる情報通りに画面５を回転させる。調節信号の停止と共に、画面５を固定する。角度調節は、常時に、または、間欠的に行われ得る。このような制御をすることにより、使用者毎に、使用の度に、または、長時間の使用により、画面５と使用者の位置関係がずれることが解消されるため、使用者は、常に画面５が見易く、目の疲れ、肩凝りがより抑えられる。角度自動調節機能が不要な場合は、スイッチ４をオフにして、センサ部１を不能にすることにより、角度調節をさせないようにすることが可能である。
【００１７】
本発明による角度自動調節機能付きディスプレイの実施の他の形態は、更に明るさ・コントラストを調節する機能を有する。制御部２は、図１０に示されるように、明るさ・コントラストを調節する機能を有する画面５に接続されている。ＣＣＤカメラ６は、更に、使用者の周囲の環境の状態の情報を取り込み、制御部２に送信される。制御部２は、使用者の周囲の明るさに適した明るさ・コントラストを決定し、調節信号を画面５に送信する。調節信号を受けた画面５は、その信号に含まれる情報通りに明るさ・コントラストを調節する。
【００１８】
画面５の角度の変化に伴って、使用者の周囲の明るさは変化する。本発明による角度自動調節機能付きディスプレイは、この変化に応じて、使用者が常に画面５を見やすい状態に明るさ・コントラストを調節している。使用者が周囲の環境を気にせず、作業ができるという効果を奏する。
【００１９】
【発明の効果】
本発明による角度自動調節機能付きディスプレイは、使用者が画面を見ながら作業する際、自動に画面の角度を見やすい位置に調節させることができる。この結果、使用者は、常に画面が見易く、目の疲れ、肩凝りがより抑えられる。
【図面の簡単な説明】
【図１】図１は、本発明による角度自動調節機能付きディスプレイの実施の形態を示す側面図である。
【図２】図２は、本発明による角度自動調節機能付きディスプレイの実施の形態を示す正面図である。
【図３】図３は、本発明による角度自動調節機能付きディスプレイの実施の形態におけるセンサ部を示す正面図である。
【図４】図４は、本発明による角度自動調節機能付きディスプレイの実施の形態におけるセンサ部を示す側面図である。
【図５】図５は、本発明による角度自動調節機能付きディスプレイの実施の形態における標準的な使用者の画像を示す図である。
【図６】図６は、標準的な使用者の画像と取り込まれた使用者の画像との比較を示す図である。
【図７】図７は、標準的な使用者の画像と取り込まれた使用者の画像との比較を示す図である。
【図８】図８は、標準的な使用者の画像と取り込まれた使用者の画像との比較を示す図である。
【図９】図９は、標準的な使用者の画像と取り込まれた使用者の画像との比較を示す図である。
【図１０】図１０は、本発明による角度自動調節機能付きディスプレイの実施の他の形態を示す側面図である。
【符号の説明】
１…センサ部
２…制御部
３…回転部
５…画面
６…ＣＣＤカメラ
【図１】
0003586610.tif 000002
【図２】
0003586610.tif 000003
【図３】
0003586610.tif 000004
【図４】
0003586610.tif 000005
【図５】
0003586610.tif 000006
【図６】
0003586610.tif 000007
【図７】
0003586610.tif 000008
【図８】
0003586610.tif 000009
【図９】
0003586610.tif 000010
【図１０】
0003586610.tif 000011